(57)【要約】【課題】有機ＥＬ表示装置において、ＯＬＥＤの劣化による画像表示の色度変化を補正する。【解決手段】有機ＥＬ表示装置２は、ＯＬＥＤ部１２の上に配設された、発色について一又は複数の種類のエレクトロクロミック素子からなるＥＣ素子層３４を有する。各エレクトロクロミック素子は、複数色の画素のいずれかの発光波長帯域に、発色時の透過スペクトルのピークを有する。エレクトロクロミック素子は駆動部から直流電圧を印加され駆動される。駆動部が印加する直流電圧によりエレクトロクロミック素子の発色強度を制御することで画像表示の色度を調節する。【選択図】図１
2014154226.tif 000002
【特許請求の範囲】
【請求項１】
有機エレクトロルミネッセンスによる発光部を有し、当該発光部からの光を用いて互いに異なる発光波長帯域にて光を出射する複数色の画素が表示領域に配された有機ＥＬ表示装置において、
前記表示領域内に配設された、発色について一又は複数の種類のエレクトロクロミック素子と、
前記エレクトロクロミック素子に直流電圧を印加する駆動部と、
を有し、
前記各エレクトロクロミック素子は、前記複数色の画素のいずれかの前記発光波長帯域に、発色時の透過スペクトルのピークを有し、
前記直流電圧により前記エレクトロクロミック素子の発色強度を制御することで画像表示の色度を調節可能としたことを特徴とする有機ＥＬ表示装置。
【請求項２】
請求項１に記載の有機ＥＬ表示装置において、
前記発光部は有機発光層を狹持し当該有機発光層に電気信号を印加する下部電極と上部電極とを有し、
前記エレクトロクロミック素子は、前記上部電極に積層されたエレクトロクロミック層を有し、前記上部電極を当該エレクトロクロミック層に電圧を印加する電極として用いること、
を特徴とする有機ＥＬ表示装置。
【請求項３】
請求項１又は請求項２に記載の有機ＥＬ表示装置において、
前記各エレクトロクロミック素子は、前記複数色の画素にて、共通に構成され、かつ共通の前記直流電圧で駆動されること、を特徴とする有機ＥＬ表示装置。
【請求項４】
請求項３に記載の有機ＥＬ表示装置において、
前記発光部は、複数色の有機エレクトロルミネッセンスそれぞれによる光を混合して白色光を生成し、
前記各画素は前記白色光のうち当該画素の前記発光波長帯域の成分を透過するカラーフィルタを備えること、
を特徴とする有機ＥＬ表示装置。
【請求項５】
請求項３に記載の有機ＥＬ表示装置において、
前記発光部は、前記画素ごとに当該画素の色の有機エレクトロルミネッセンスを生じる発光層を形成されること、を特長とする有機ＥＬ表示装置。
【請求項６】
請求項１又は請求項２に記載の有機ＥＬ表示装置において、
前記各エレクトロクロミック素子は、前記画素ごと、又は前記表示領域を区分した区分領域ごとに駆動可能に構成されること、を特徴とする有機ＥＬ表示装置。
【請求項７】
請求項１から請求項６のいずれか１つに記載の有機ＥＬ表示装置において、
前記駆動部は、
前記発光部の通算駆動時間と、当該通算駆動時間に応じた前記発光部の色度の経時変化を補償する発色が得られる前記各エレクトロクロミック素子の前記直流電圧との対応関係を予め記憶する記憶部と、
前記通算駆動時間を計測する駆動時間計測部と、
を有し、
計測された前記通算駆動時間及び前記対応関係に基づいて前記各エレクトロクロミック素子に印加する前記直流電圧を設定すること、
を特徴とする有機ＥＬ表示装置。
【請求項８】
請求項１から請求項６のいずれか１つに記載の有機ＥＬ表示装置において、
前記駆動部は、
前記発光部の劣化の程度と、当該劣化による前記発光部の色度の変化を補償する発色が得られる前記各エレクトロクロミック素子の前記直流電圧との対応関係を予め記憶する記憶部と、
前記発光部の前記劣化の程度を検出する劣化検出部と、
を有し、
検出された前記劣化の程度及び前記対応関係に基づいて前記各エレクトロクロミック素子に印加する前記直流電圧を設定すること、
を特徴とする有機ＥＬ表示装置。
【発明の詳細な説明】
【技術分野】
【０００１】
本発明は有機エレクトロルミネッセンス（electroluminescence：ＥＬ）表示装置に関し、特に発光部の劣化による画像表示の色度変化を補正する技術に関する。
【背景技術】
【０００２】
有機ＥＬ表示装置は有機発光ダイオード（Organic Light-Emitting Diode：ＯＬＥＤ）が発する赤（Ｒ）、緑（Ｇ）、青（Ｂ）等の複数色のエレクトロルミネッセンスを用いて画像表示を行い、白色表示はそれら複数色を適当なバランスで混合することで実現される。ここで、ＯＬＥＤは経時劣化し、その速度は一般に発光層の材料等に応じて異なるので、劣化に伴う各色の発光強度の変化に差が生じる。つまり、複数色のＯＬＥＤの発光強度のバランスは経時劣化に伴い変化し、その結果、例えば、白色表示の映像信号が入力されても画面表示の色度は白色からずれる。この色度変化はＯＬＥＤの駆動電流を調節するなどして、各色の発光強度を変えることで補正することができる。
【先行技術文献】
【特許文献】
【０００３】
【特許文献１】特開２００５−８５６８３号公報
【特許文献２】特開２０１１−３５０８７号公報
【発明の概要】
【発明が解決しようとする課題】
【０００４】
劣化により発光強度が低下したＯＬＥＤの発光強度を引き上げて色度補正を行う方法では、ＯＬＥＤの駆動電流が増加され、その結果、劣化速度が増して表示装置の寿命が短縮したり、消費電力が大きくなったりするという問題があった。
【０００５】
本発明は上記問題点を解決するためになされたものであり、ＯＬＥＤの劣化促進や消費電力の増大を回避しつつ、色度補正が可能な有機ＥＬ表示装置を提供することを目的とする。
【課題を解決するための手段】
【０００６】
（１）本発明に係る有機ＥＬ表示装置は、有機エレクトロルミネッセンスによる発光部を有し、当該発光部からの光を用いて互いに異なる発光波長帯域にて光を出射する複数色の画素が表示領域に配されたものであって、前記表示領域内に配設された、発色について一又は複数の種類のエレクトロクロミック素子と、前記エレクトロクロミック素子に直流電圧を印加する駆動部と、を有し、前記各エレクトロクロミック素子は、前記複数色の画素のいずれかの前記発光波長帯域に、発色時の透過スペクトルのピークを有し、前記直流電圧により前記エレクトロクロミック素子の発色強度を制御することで画像表示の色度を調節する。
【０００７】
（２）上記（１）に記載する有機ＥＬ表示装置において、前記発光部は有機発光層を狹持し当該有機発光層に電気信号を印加する下部電極と上部電極とを有し、前記エレクトロクロミック素子は、前記上部電極に積層されたエレクトロクロミック層を有し、前記上部電極を当該エレクトロクロミック層に電圧を印加する電極として用いる構成とすることができる。
【０００８】
（３）上記（１）又は（２）に記載する有機ＥＬ表示装置において、前記各エレクトロクロミック素子は、前記複数色の画素にて、共通に構成され、かつ共通の前記直流電圧で駆動される構成とすることができる。
【０００９】
（４）上記（３）に記載する有機ＥＬ表示装置において、前記発光部は、複数色の有機エレクトロルミネッセンスそれぞれによる光を混合して白色光を生成し、前記各画素は前記白色光のうち当該画素の前記発光波長帯域の成分を透過するカラーフィルタを備えた構成とすることができる。
【００１０】
（５）上記（３）に記載する有機ＥＬ表示装置において、前記発光部は、前記画素ごとに当該画素の色の有機エレクトロルミネッセンスを生じる発光層を形成された構成とすることができる。
【００１１】
（６）上記（１）又は（２）に記載する有機ＥＬ表示装置において、前記各エレクトロクロミック素子は、前記画素ごと、又は前記表示領域を区分した区分領域ごとに駆動可能に構成することができる。
【００１２】
（７）上記（１）から（６）に記載する有機ＥＬ表示装置において、前記駆動部は、前記発光部の通算駆動時間と当該通算駆動時間に応じた前記発光部の色度の経時変化を補償する発色が得られる前記各エレクトロクロミック素子の前記直流電圧との対応関係を予め記憶する記憶部と、前記通算駆動時間を計測する駆動時間計測部と、を有し、計測された前記通算駆動時間及び前記対応関係に基づいて前記各エレクトロクロミック素子に印加する前記直流電圧を設定する構成とすることができる。
【００１３】
（８）上記（１）から（６）に記載する有機ＥＬ表示装置において、前記駆動部は、前記発光部の劣化の程度と当該劣化による前記発光部の色度の変化を補償する発色が得られる前記各エレクトロクロミック素子の前記直流電圧との対応関係を予め記憶する記憶部と、前記発光部の前記劣化の程度を検出する劣化検出部と、を有し、検出された前記劣化の程度及び前記対応関係に基づいて前記各エレクトロクロミック素子に印加する前記直流電圧を設定する構成とすることができる。
【発明の効果】
【００１４】
本発明によれば、エレクトロクロミック素子を用いて色度補正がなされ、その際、劣化したＯＬＥＤの発光強度は増加させないので、ＯＬＥＤの劣化促進や消費電力の増大が回避される。
【図面の簡単な説明】
【００１５】
【図１】本発明の第１の実施形態に係る有機ＥＬ表示装置の画素アレイ部の模式的な部分断面図である。
【図２】本発明の実施形態に係る有機ＥＬ表示装置の構成を示す模式図である。
【図３】本発明の実施形態に係る有機ＥＬ表示装置の他の構成を示す模式図である。
【図４】本発明の第２の実施形態に係る有機ＥＬ表示装置の画素アレイ部の模式的な部分断面図である。
【図５】本発明の第３の実施形態に係る有機ＥＬ表示装置の画素アレイ部の模式的な部分断面図である。
【発明を実施するための形態】
【００１６】
本発明の実施形態である有機ＥＬ表示装置は、ＯＬＥＤを含む画素が表示領域に２次元配列され画像を表示する画素アレイ部と、当該画素アレイ部を駆動する駆動部とを備える。表示領域には互いに異なる発光波長帯域にて光を出射する複数色の画素が配列され、有機ＥＬ表示装置はカラー画像を表示することができる。本発明の実施形態では、複数色の画素が、赤色（Ｒ）の光を出射するＲ画素、緑色（Ｇ）の光を出射するＧ画素、青色（Ｂ）の光を出射するＢ画素である例を示す。画素は表示領域にマトリクス状に配列される。また、Ｒ画素、Ｇ画素、Ｂ画素が表示領域にストライプ配列される例を説明する。当該配列では、画像の垂直方向に同じ色の画素が並び、水平方向にＲＧＢが周期的に並ぶ。
【００１７】
以下、本発明の実施形態に係る有機ＥＬ表示装置について、図面を参照しながら説明する。
【００１８】
［第１の実施形態］
図１は本発明の第１の実施形態に係る有機ＥＬ表示装置２の画素アレイ部４の模式的な部分断面図であり、表示領域の水平方向に沿った断面を示している。画素アレイ部４の主要な構成はＴＦＴ基板６と封止基板８との間に形成される。画素アレイ部４はトップエミッション型であり、ＴＦＴ基板６上に発光部となるＯＬＥＤが形成され、ＯＬＥＤで生じた光を封止基板８から出射する。すなわち、図１においてＯＬＥＤの光は上向きに出射する。また、図１に示す有機ＥＬ表示装置２におけるカラー化方式はカラーフィルタ方式であり、ＯＬＥＤにて白色光を生成し、当該白色光をカラーフィルタを通すことでＲＧＢ各色を得る。
【００１９】
ＴＦＴ基板６は例えば、ガラス基板からなる。ＴＦＴ基板６には回路部１０、ＯＬＥＤ部１２、封止膜１４などが積層されて形成される。
【００２０】
回路部１０はＴＦＴ基板６の表面に形成され、回路部１０の上に形成されるＯＬＥＤ部１２をアクティブマトリクス駆動するための薄膜トランジスタ（Thin Film Transistor：ＴＦＴ）、走査信号線、映像信号線、駆動電源線などからなる。具体的には、画素ごとに点灯ＴＦＴや駆動ＴＦＴを含んだ画素回路が形成される。例えば、点灯ＴＦＴはｎチャネルに構成される。走査信号線は画素の水平方向の並び（画素行）ごとに設けられ当該画素行の複数の点灯ＴＦＴのゲートに共通に接続され、また映像信号線は画素の垂直方向の並び（画素列）ごとに設けられ当該画素列の複数の点灯ＴＦＴのドレインに共通に接続される。また、駆動部の少なくとも一部分はＴＦＴ基板６上の回路部１０として画素アレイ部４と一体に構成することができる。なお、図１では回路部１０の詳細な構造は図示を省略している。
【００２１】
ＯＬＥＤ部１２は反射層２０、下部電極２２、有機層２４、上部電極２６及びバンク２８を含んで構成される。有機層２４はホール注入層、ホール輸送層、発光層、電子輸送層、電子注入層等を含んで構成される。下部電極２２及び上部電極２６とこれらの間に挟持される有機層２４とはＯＬＥＤを構成する。既に述べたように本実施形態のＯＬＥＤは白色光を生成する。具体的には、発光層をＲ，Ｇ，Ｂ各色の発光層の積層体とし、ＲＧＢ各色の有機エレクトロルミネッセンスによる光を混合して白色光を生成する。
【００２２】
下部電極２２及び上部電極２６はそれぞれＯＬＥＤのアノード電極（陽極）、カソード電極（陰極）を構成し、これらの間に印加される電気信号により発光層での発光が制御される。上部電極２６は基本的に表示領域全体の画素に共通に形成され、駆動部から共通電圧を印加される。一方、下部電極２２は画素ごとに形成され、各画素の画素回路及び駆動電源線を介して駆動部から映像信号に応じた電流を供給される。なお、バンク２８は画素間に絶縁層で形成され、下部電極２２間を電気的に分離する。また、反射層２０は下部電極２２の下に配置され、発光層からの光を表示面、つまり封止基板８側へ反射させる。
【００２３】
封止膜１４はＯＬＥＤ部１２の上に積層される。ＯＬＥＤの特性が水分によって劣化することに対応して、封止膜１４は充填層３０に含まれる水分からＯＬＥＤを保護する防湿機能を有する。例えば、封止膜１４は窒化シリコン（ＳｉＮ）からなり、ＣＶＤ等によって形成される。
【００２４】
封止基板８は例えば、ガラス基板などの透明材料からなる。封止基板８にはカラーフィルタ３２、エレクトロクロミック（electrochromic：ＥＣ）素子層３４などが積層されて形成される。それらが形成された封止基板８と上述の積層構造が形成されたＴＦＴ基板６とは、間に充填層３０を挟んで封止膜１４とＥＣ素子層３４とを対向させて貼り合わされる。充填層３０はＴＦＴ基板６側の積層体と封止基板８側の積層体との間を充填して封止する。充填層３０は流動性を有し、かつ硬化可能な合成樹脂等の材料からなり、流動性を有する状態で例えば、封止基板８側に印刷、或いはディスペンサ等によって積層される。そして、ＴＦＴ基板６側と封止基板８側とを貼り合わせた後、熱等により充填層３０を硬化させる。
【００２５】
ＯＬＥＤ部１２は各画素にて白色光を生成し、カラーフィルタ３２はＯＬＥＤが生成する白色光のうち画素の色に対応した成分の光を選択的に透過する。具体的には、カラーフィルタ３２として、Ｒ画素に対応して赤色の波長帯域を透過するカラーフィルタ３２ｒが配置され、Ｇ画素に対応して緑色の波長帯域を透過するカラーフィルタ３２ｇが配置され、Ｂ画素に対応して青色の波長帯域を透過するカラーフィルタ３２ｂが配置される。ここで、各画素の発光波長帯域は、ＯＬＥＤの発光スペクトルにカラーフィルタ３２ｒ，３２ｇ，３２ｂのうち当該画素に対応するものの透過特性を乗じたスペクトルにより規定される。なお、カラーフィルタ３２ｒ，３２ｇ，３２ｂの境界にはブラックマトリクス３６が配置される。
【００２６】
ＥＣ素子層３４は１種類のＥＣ素子又は発色が異なる複数種類のＥＣ素子の積層体からなる。本発明における各ＥＣ素子は複数色の画素のいずれかの発光波長帯域に、発色時の透過スペクトルのピークを有する。本実施形態ではＥＣ素子層３４は、発色時の透過スペクトルのピークがＲ画素の発光波長帯域内に位置するＲ発色ＥＣ素子、発色時の透過スペクトルのピークがＧ画素の発光波長帯域内に位置するＧ発色ＥＣ素子、及び発色時の透過スペクトルのピークがＢ画素の発光波長帯域内に位置するＢ発色ＥＣ素子の積層構造である。
【００２７】
なお、ＥＣ素子の発色はＲＧＢ以外とすることもでき、例えばシアン、マゼンタ、イエローなどを用いることもできる。
【００２８】
ここでは、ＥＣ素子層３４にはＴＦＴ基板６に近い方から順に、Ｒ発色ＥＣ素子、Ｇ発色ＥＣ素子、Ｂ発色ＥＣ素子が配置されるとする。各発色ＥＣ素子はエレクトロクロミック物質からなる発色層と、当該発色層を挟持しこれに電圧を印加する一対の透明電極とで構成される。具体的には、図１において、ＥＣ素子層３４は、ＥＣ素子用の透明電極として第１〜第４電極を有し、それらに挟持される３つの発色層を有する。Ｒ発色ＥＣ素子は第１電極４０ａ及び第２電極４０ｂとそれらに挟持されるＲ発色層４２ｒとで構成され、Ｇ発色ＥＣ素子は第２電極４０ｂ及び第３電極４０ｃとそれらに挟持されるＧ発色層４２ｇとで構成され、またＢ発色ＥＣ素子は第３電極４０ｃ及び第４電極４０ｄとそれらに挟持されるＢ発色層４２ｂとで構成される。
【００２９】
各電極４０ａ〜４０ｄは駆動部から直流電圧を印加される。ＥＣ素子の発色層４２ｒ，４２ｇ，４２ｂは例えば、電圧を印加されない状態では電流を供給されず、基本的に発色せず透明であるが、電圧を印加されると供給される電荷により電気化学的な酸化還元反応を生じて光の透過特性を変化させ発色する。具体的には、Ｒ発色ＥＣ素子は第１電極４０ａと第２電極４０ｂとの間の電圧に応じて発色し、Ｇ発色ＥＣ素子は第２電極４０ｂと第３電極４０ｃとの間の電圧に応じて発色し、Ｂ発色ＥＣ素子は第３電極４０ｃと第４電極４０ｄとの間の電圧に応じて発色する。発色の強度は印加電圧に応じて可逆的に変化する。すなわち、電圧を上げることで発色を濃くすることができ、電圧を下げることで発色を薄くし、消色させることができる。
【００３０】
Ｒ発色ＥＣ素子、Ｇ発色ＥＣ素子、Ｂ発色ＥＣ素子は表示領域全体に共通に形成される。すなわち、駆動部からの直流電圧により各画素にて一律に発色強度が制御される。これにより、画素アレイ部４に表示される画像の色度を調節することができる。具体的には、ＥＣ素子の発色を制御することで、ＯＬＥＤの劣化に伴う表示色度の変化を補正することができる。
【００３１】
なお、本実施形態ではＥＣ素子として単色の発色を生じるものを複数種類用いているが、ＥＣ素子層３４を一層のＥＣ素子からなる構成とすることもできる。例えば、青色発光のＯＬＥＤは他の色のＯＬＥＤより劣化が速い傾向があり、その補償のためにＢ発色ＥＣ素子だけからなるＥＣ素子層３４とすることができる。また、与える電気信号に応じて色相が変わるマルチカラーエレクトロクロミック材料を用いてＥＣ素子の種類を減らすこともできる。
【００３２】
発色層４２を構成するエレクトロクロミック材料としては、所望の発色特性を有する材料であれば、特に限定されない。例えば、表示品位のよい変色を実現するためには、π共役系導電性高分子が好適であり、例えば、ポリパラフェニレン、ポリチオフェン、ポリフェニレンビニレン、ポリピロール、ポリアニリン、アリールアミン置換ポリアリーレンビニレン、ポリフルオレンポリマーよりなる群から選択される共役ポリマーを含有する材料を用いることができる。
【００３３】
図２は有機ＥＬ表示装置２の概略の構成を示す模式図である。有機ＥＬ表示装置２は、画素アレイ部４の他、駆動部として走査線駆動回路５０、映像線駆動回路５２、ＥＣ素子駆動回路５４、駆動電源回路５６及び制御装置５８などを備える。
【００３４】
画素アレイ部４には、画素行ごとに走査信号線６０が形成され、画素列ごとに映像信号線６２が形成される。走査信号線６０と映像信号線６２との交点ごとにＴＦＴが配置される。各ＴＦＴは走査信号線６０に印加される走査信号に応じて行単位でオン／オフを制御され、オン状態とされた行の各画素のＴＦＴが当該画素の下部電極２２と映像信号線６２とを電気的に接続する。
【００３５】
走査線駆動回路５０は複数の走査信号線６０に接続されている。走査線駆動回路５０は制御装置５８から入力されるタイミング信号に応じて走査信号線６０を順番に選択し、選択した走査信号線６０に、ＴＦＴをオンする電圧を印加する。例えば、走査線駆動回路５０はシフトレジスタを含んで構成され、当該シフトレジスタは制御装置５８からのトリガ信号を受けて動作を開始し、垂直走査方向に沿った順序で走査信号線６０を順次選択し、選択した走査信号線６０に走査パルスを出力する。
【００３６】
映像線駆動回路５２は複数の映像信号線６２に接続されている。映像線駆動回路５２は制御装置５８から映像信号を入力され、走査線駆動回路５０による走査信号線６０の選択に合わせて、選択された画素行の映像信号に応じた電圧を各映像信号線６２に出力する。当該電圧は、選択された画素行にて点灯ＴＦＴ７２を介して画素回路に書き込まれる。駆動ＴＦＴ７４は書き込まれた電圧に応じた電流をＯＬＥＤ７６に供給し、これにより、選択された走査信号線６０に対応する画素のＯＬＥＤ７６が発光する。これはラスター画像の水平走査に相当する。ちなみに、上述の走査線駆動回路５０の動作は垂直走査に相当する。
【００３７】
駆動電源回路５６は画素列ごとに設けられた駆動電源線６４に接続され、駆動電源線６４及び選択された画素行の駆動ＴＦＴ７４を介してＯＬＥＤ７６に電流を供給する。駆動電源回路５６は、ＯＬＥＤ７６の劣化の程度を検出する劣化検出部として劣化検出回路６６を有する。ＯＬＥＤ７６は劣化すると、同じ映像信号に対して流れる電流が減少し発光強度が低下するといった変化を生じる。例えば、劣化検出回路６６は駆動電源回路５６から駆動電源線６４を介してＯＬＥＤ７６に供給される電流をモニタし、当該電流値を劣化を示す情報として制御装置５８へ出力する。
【００３８】
ＥＣ素子駆動回路５４はＥＣ素子の各電極４０に接続されている。ＥＣ素子駆動回路５４はそれら電極４０間に印加する直流電圧を生成する。ＥＣ素子駆動回路５４が生成する電圧は制御装置５８により制御される。
【００３９】
制御装置５８は、ＣＰＵ（Central Processing Unit）などの演算処理回路、及びＲＯＭ（Read Only Memory）やＲＡＭ（Random Access Memory）などのメモリ素子からなる記憶部６８を備えている。制御装置５８は映像信号を入力される。例えば、有機ＥＬ表示装置２がコンピュータや携帯端末の表示部を構成する場合には、映像信号は本体のコンピュータ等から有機ＥＬ表示装置２に入力される。また、有機ＥＬ表示装置２がテレビジョン受信機を構成する場合には、映像信号は不図示のアンテナやチューナで受信される。制御装置５８はＣＰＵがメモリに格納されたプログラムを読み出して実行することにより各種の処理を実行する。具体的には、制御装置５８は当該映像信号に対して色調整などの各種の画像信号処理を行って映像線駆動回路５２へ出力する。また、制御装置５８は入力された映像信号に基づいて、走査線駆動回路５０や映像線駆動回路５２が同期を取るためのタイミング信号を生成し、それら回路に向けて出力する。
【００４０】
さらに、制御装置５８はＥＣ素子を制御して、発光部であるＯＬＥＤ７６の劣化に伴う画像表示の色度変化を補正する。この補正に際し、制御装置５８はＯＬＥＤ７６の劣化の程度を劣化検出回路６６の出力により把握する。また、当該補正には記憶部６８に予め記憶されている、発光部の劣化の程度と、当該劣化による発光部の色度の変化を補償する発色が得られるＥＣ素子の駆動直流電圧との対応関係が用いられる。
【００４１】
ここで、劣化検出回路６６の出力と画像表示の色度変化との関係は、同等の発光部を用いて測定するなどの方法により予め求めることができる。また、発光部の色度変化を補償する発色と、それを実現するＥＣ素子の駆動直流電圧との関係も事前の測定等で求めることができる。これらから、劣化検出回路６６の出力と、色度変化を補償するＥＣ素子の駆動直流電圧との対応関係が得られ、これが記憶部６８に格納される。
【００４２】
制御装置５８は劣化検出回路６６の出力と記憶部６８に格納された上記対応関係とに基づいて、ＥＣ素子の駆動直流電圧を決定し、当該電圧が出力されるようにＥＣ素子駆動回路５４を制御する。
【００４３】
図３は色度変化を補正する有機ＥＬ表示装置２の他の構成を示す模式図であり、図２の構成と同じ構成要素には同一の符号を付して、以下、図２の構成との相違点を中心に説明する。この構成では、制御装置５８は劣化検出回路６６の出力に代えて、駆動時間計測部７０によりＯＬＥＤ７６の劣化の程度を把握する。駆動時間計測部７０は制御装置５８の演算処理回路、及びプログラムにより実現することができる。駆動時間計測部７０は有機ＥＬ表示装置２の駆動時間を有機ＥＬ表示装置２の使用開始（工場出荷）時などの基準時から通算する。一方、記憶部６８には基準時からの発光部の通算駆動時間と、当該通算駆動時間に応じた発光部の色度の経時変化を補償する発色が得られるＥＣ素子の駆動直流電圧との対応関係が予め格納される。制御装置５８は駆動時間計測部７０の出力と、記憶部６８に格納された上記対応関係とに基づいて、ＥＣ素子の駆動直流電圧を決定し、当該電圧が出力されるようにＥＣ素子駆動回路５４を制御する。なお、通算駆動時間と画像表示の色度変化との関係は事前の測定等で求められ、その結果を用いて記憶部６８に格納する上記対応関係が定められる。
【００４４】
制御装置５８は駆動時間計測部７０の出力と記憶部６８に格納された上記対応関係とに基づいて、ＥＣ素子の駆動直流電圧を決定し、当該電圧が出力されるようにＥＣ素子駆動回路５４を制御する。
【００４５】
なお、駆動時間計測部７０は単純に通算した駆動時間に代えて、制御装置５８が映像信号から求める画像のフレームごとの平均輝度で重み付けした駆動時間や、フレームごとのＲＧＢ各色の平均輝度で重み付けした色別の駆動時間を用いてＯＬＥＤ７６の劣化の程度の推定精度を上げることもできる。
【００４６】
［第２の実施形態］
本発明の第２の実施形態に係る有機ＥＬ表示装置２は、画素アレイ部４の構造において、上記第１の実施形態との相違点を有する。以下、第１の実施形態と同様の機能を有する構成要素には同一の符号を付して、以下、第２の実施形態について第１の実施形態との相違点を中心に説明する。
【００４７】
図４は本発明の第２の実施形態に係る有機ＥＬ表示装置２の画素アレイ部４の模式的な部分断面図であり、表示領域の水平方向に沿った断面を示している。
【００４８】
本実施形態では、ＥＣ素子層３４はＯＬＥＤ部１２に積層され、ＥＣ素子層３４の上に封止膜１４、充填層３０、カラーフィルタ３２、封止基板８が順番に配置される。ＥＣ素子層３４の最下層の電極である第１電極４０ａはＯＬＥＤ部１２の上部電極２６と共通化され同一層で形成される。この電極の共通化により、本実施形態の画素アレイ部４は透明電極を第１の実施形態より１層少なくすることができ、ＯＬＥＤにて生じた光が封止基板８から出射するまでに吸収される量を低減できる。
【００４９】
ＥＣ素子層３４の駆動は第１の実施形態と同様に行われ、ＯＬＥＤの劣化による色度変化が補正される。
【００５０】
［第３の実施形態］
本発明の第３の実施形態に係る有機ＥＬ表示装置２は、画素アレイ部４の構造において、上記第１及び第２の実施形態との相違点を有する。以下、第１の実施形態と同様の機能を有する構成要素には同一の符号を付して、以下、第３の実施形態について第１の実施形態との相違点を中心に説明する。
【００５１】
図５は本発明の第３の実施形態に係る有機ＥＬ表示装置２の画素アレイ部４の模式的な部分断面図であり、表示領域の水平方向に沿った断面を示している。
【００５２】
本実施形態の有機ＥＬ表示装置２はＯＬＥＤ部１２に、各画素の表示色で発光するＯＬＥＤを配列している。つまり、ＯＬＥＤ部１２には、Ｒ画素にＲ発光層８０ｒが形成され、Ｇ画素にＧ発光層８０ｇが形成され、Ｂ画素にＢ発光層８０ｂが形成される。これに伴い、カラーフィルタは設けられていない。
【００５３】
ＥＣ素子層３４は第２の実施形態と同様、ＯＬＥＤ部１２に積層され、ＥＣ素子層３４の最下層の電極である第１電極４０ａとＯＬＥＤ部１２の上部電極２６とが共通化される。これにより、ＯＬＥＤにて生じた光の吸収を低減できる。
【００５４】
ＥＣ素子層３４の駆動は第１の実施形態と同様に行われ、ＯＬＥＤの劣化による色度変化が補正される。
【００５５】
［変形例］
（１）ＥＣ素子は表示領域の全体ではなく、劣化しやすい特定の色の画素だけに設けてもよい。当該構成では、ＯＬＥＤ部１２にて生成された光のＥＣ素子による吸収は当該特定色の画素だけになり、発光強度の劣化が小さい画素ではＥＣ素子を省くことで、輝度向上、消費電力低減が図れる。
【００５６】
（２）ＥＣ素子は、画素ごと、又は表示領域を区分した区分領域ごとに駆動可能に構成することもできる。具体的には、ＥＣ素子において発色層４２を挟持する一対の電極の一方を画素、又は区分領域ごとに分割し、分割された複数の電極に例えば、アクティブマトリクス方式で個別に電圧を印加する。当該構成では表示領域の一部分にて進行する劣化に対して色度補正を好適に行うことができる。例えば、固定パターンの表示部分にて生じる焼き付きを補正して目立たなくすることが可能である。
【符号の説明】
【００５７】
２  有機ＥＬ表示装置、４  画素アレイ部、６  ＴＦＴ基板、８  封止基板、１０  回路部、１２  ＯＬＥＤ部、１４  封止膜、２０  反射層、２２  下部電極、２４  有機層、２６  上部電極、２８  バンク、３０  充填層、３２  カラーフィルタ、３４  エレクトロクロミック素子層、４０ａ  第１電極、４０ｂ  第２電極、４０ｃ  第３電極、４０ｄ  第４電極、４２ｒ  Ｒ発色層、４２ｇ  Ｇ発色層、４２ｂ  Ｂ発色層、５０  走査線駆動回路、５２  映像線駆動回路、５４  ＥＣ素子駆動回路、５６  駆動電源回路、５８  制御装置、６０  走査信号線、６２  映像信号線、６４  駆動電源線、６６  劣化検出回路、６８  記憶部、７０  駆動時間計測部、８０ｒ  Ｒ発光層、８０ｇ  Ｇ発光層、８０ｂ  Ｂ発光層。
【図１】
2014154226.tif 000003
【図２】
2014154226.tif 000004
【図３】
2014154226.tif 000005
【図４】
2014154226.tif 000006
【図５】
2014154226.tif 000007